(57)【要約】【課題】追加放題メニューの入力が容易で入力ミスもなく、また追加放題メニューによる延長回数や延長時間などを容易にデータとして把握することができるオーダーエントリーシステムを提供すること。【解決手段】メニュー品目の中のメニューの１つとして、時間制限付きで一定金額で所定のメニュー品目をフリーオーダーできる放題メニューと、放題メニューを所定時間延長する追加放題メニューとを記憶しておく。記憶したメニュー品目の入力を受付け、受付けたメニュー品目が追加放題メニューである場合には客の注文済みのメニュー品目の中に対象とする放題メニューが存在するか否かを判定し（ステップ１−３，１−１２）、存在しない場合は入力された追加放題メニューの受付けを禁止し（ステップ１−１３）、存在する場合は入力された追加放題メニューの受付けを許可する（１−１４）。【選択図】図６
2014232356.tif 000002
【特許請求の範囲】
【請求項１】
注文されたメニュー品目を受け付けるオーダーエントリーシステムにおいて、
前記メニュー品目の中の１つとして、時間制限付きで一定金額で所定のメニュー品目をフリーオーダーできる放題メニューと、前記放題メニューを所定時間延長する追加放題メニューとを記憶するメニュー品目記憶手段と、
前記記憶したメニュー品目の入力を受付け記憶するメニュー品目受付手段と、
前記受付けたメニュー品目が前記追加放題メニューである場合、前記記憶する客の注文済みのメニュー品目の中に対象とする前記放題メニューが存在するか否かを判定し、存在しない場合は前記入力された追加放題メニューの受付けを禁止し、存在する場合は前記入力された追加放題メニューの受付けを許可する追加放題メニュー受付手段と、
を備えたことを特徴とするオーダーエントリーシステム。
【請求項２】
前記追加放題メニューを延長時間の単位毎に記憶する注文データ記憶手段を更に備えたことを特徴とする請求項１に記載のオーダーエントリーシステム。
【請求項３】
前記追加放題メニュー受付手段は、受付けた追加放題メニューを許可した場合、その直前に受付けた放題メニューまたは追加放題メニューの終了時刻を、今回受付けを許可した追加放題メニューの開始時刻とすることを特徴とする請求項１に記載のオーダーエントリーシステム。
【発明の詳細な説明】
【技術分野】
【０００１】
本発明は、飲食店などにおけるオーダーエントリーシステムに関するものである。
【背景技術】
【０００２】
従来、飲食店では、時間制限付きで所定のメニュー品目について何回注文されても所定の金額にてフリーオーダーできる、いわゆる「飲み放題」や「食べ放題」などのメニューを用意している。そして飲食店によっては、客が飲み足りない場合や、食べ足りない場合に、前記「飲み放題」や「食べ放題」に対して時間延長を受け付ける場合がある。
【先行技術文献】
【特許文献】
【０００３】
【特許文献１】特開２０１２−１８１６７１号公報
【発明の概要】
【発明が解決しようとする課題】
【０００４】
しかしながら従来のオーダーエントリーシステムにおいて、「飲み放題」や「食べ放題」の時間延長を行うには、店員により携帯入力端末等で該当顧客を特定した後、煩雑な操作（例えばボタン入力による延長時間の打ち込みなど）が必要であり、また煩雑な操作に伴う入力ミスによる再入力などもあり、手間が掛かり面倒であった。
【０００５】
またオーダーエントリーシステムが、「飲み放題」や「食べ放題」の時間延長を受け付けたことを把握できたとしても、延長を行った回数や延長時間などを把握することは難しかった。このため、過去の延長回数や延長時間などのデータを正しく把握できず、今後の宴会スケジュール（例えば飲み放題の制限時間の変更や制限する時間帯など）を正しく計画することができなかった。
【０００６】
本発明は上述の点に鑑みてなされたものでありその目的は、「飲み放題」や「食べ放題」の時間延長の入力が容易で入力ミスもなく、またその延長回数や延長時間などを容易にデータとして把握することができるオーダーエントリーシステムを提供することにある。
【課題を解決するための手段】
【０００７】
本発明は、注文されたメニュー品目を受け付けるオーダーエントリーシステムであって、前記メニュー品目の中の１つとして、時間制限付きで一定金額で所定のメニュー品目をフリーオーダーできる放題メニューと、前記放題メニューを所定時間延長する追加放題メニューとを記憶するメニュー品目記憶手段と、前記記憶したメニュー品目の入力を受付け記憶するメニュー品目受付手段と、前記受付けたメニュー品目が前記追加放題メニューである場合、前記記憶する客の注文済みのメニュー品目の中に対象とする前記放題メニューが存在するか否かを判定し、存在しない場合は前記入力された追加放題メニューの受付けを禁止し、存在する場合は前記入力された追加放題メニューの受付けを許可する追加放題メニュー受付手段と、を備えたことを特徴とする。
このように飲み放題や食べ放題などを時間延長する追加放題メニューを、他のメニュー品目と同様に、メニュー品目として入力するので、飲み放題や食べ放題等の時間延長の操作が容易であり、時間設定間違えなどのミスが生じなくなる。また、操作が容易であるため、客が直接操作する（店員が操作を行わない）セルフオーダーシステムにも容易に適用可能になる。
【０００８】
また本発明は、前記追加放題メニューを延長時間の単位毎に記憶する注文データ記憶手段を更に備えることが好ましい。
これによって、時間延長がどれだけ有ったかの把握と、追加延長した数や回数、または時間などを正しく把握することができる。これによって過去の延長回数や延長時間などのデータを蓄積でき、このデータを用いて今後の宴会スケジュールなど（例えば放題メニューや追加放題メニューの設定時間やフリーオーダー対象商品の変更、最適化など）を正しく計画することができる。
【０００９】
また前記追加放題メニュー受付手段は、受付けた追加放題メニューを許可した場合、その直前に受付けた放題メニューまたは追加放題メニューの終了時刻を、今回受付けを許可した追加放題メニューの開始時刻とすることが好ましい。
これによって、その直前に受付けた放題メニューまたは追加放題メニューの終了時刻の後であって新たな追加放題メニューを受付ける前に注文されたメニュー品目を、自動的に新たに追加された追加放題メニューに含めることができる。これにより容易且つ正しい金額で、客に会計させることができる。
【発明の効果】
【００１０】
本発明によれば、放題メニューの時間延長が容易に行うことができ入力ミスもなく、また放題メニューの延長回数や延長時間などを容易にデータとして把握できる。
【図面の簡単な説明】
【００１１】
【図１】オーダーエントリーシステム１の概略構成図である。
【図２】携帯入力端末２０の構成例を示すブロック図である。
【図３】メニューデータファイル（商品ファイル）の一例を示す図である。
【図４】付加データファイル（付加商品ファイル）の一例を示す図である。
【図５】注文データファイルの一例を示す図である。
【図６】携帯入力端末２０における動作フロー図である。
【図７】ステップ１−１４の具体的処理方法の一例を示す動作フロー図である。
【図８】ステップ１−１４の具体的処理方法の一例の説明図である。
【図９】会計時に客に提示される請求伝票３００の一例を示す図である。
【発明を実施するための形態】
【００１２】
以下、本発明の実施形態を図面を参照して詳細に説明する。
図１は本発明の一実施形態にかかるオーダーエントリーシステム１の概略構成図である。同図に示すようにオーダーエントリーシステム１は、管理装置（上位装置、ストアコントローラとも称する）１０と、Ｎ台（Ｎは１以上の整数）の入力端末（以下「携帯入力端末」と称する）２０−１，…，Ｎと、ＰＯＳ端末装置（ＰＯＳレジスタとも称する）３０と、Ｍ台（Ｍは１以上の整数）の出力端末（以下「キッチンプリンタ」と称する）４０−１，…，Ｍと、アクセスポイント５０と、ルータ６０とを具備して構成されている。オーダーエントリーシステム１は、例えば飲食店に設置される。なお、携帯入力端末２０−１，…，Ｎのそれぞれは、同一構成であるため、以下、それぞれを特に区別しない場合には携帯入力端末２０と総称する。また、キッチンプリンタ４０−１，…，Ｍのそれぞれは、同一構成であるため、以下、それぞれを特に区別しない場合にはキッチンプリンタ４０と総称する。
【００１３】
管理装置１０とアクセスポイント５０とルータ６０とは、互いに、ＬＡＮ９０を介して接続されている。ＬＡＮ接続の形態は、有線であっても良いし、無線であっても良い。またアクセスポイント５０は、無線ＬＡＮにより、携帯入力端末２０、ＰＯＳ端末装置３０及びキッチンプリンタ４０と接続されている。ルータ６０は、オーダーエントリーシステム１内の装置（例えば管理装置１０）とオーダーエントリーシステム１外の装置（例えば、本部のサーバ）との通信を制御（経路選択制御など）する。
【００１４】
管理装置１０は、オーダーエントリーシステム１全体を制御（管理）する装置（例えばサーバ）である。例えば、管理装置１０は、制御部の他に、記憶部を備え、種々のファイル（例えば、メニューデータファイル、付加データファイル、印字フォーマットファイル、注文データファイル、会計ファイルなど）を記憶（管理）する。また例えば、管理装置１０は、通信部を備え、記憶部内のファイル（又はファイル上のデータ）を他の装置に送信する。また例えば、管理装置１０は、印字制御部を備え、例えば、キッチンプリンタ４０の印字を制御する。また例えば、管理装置１０は、集計部を備え、店員からの指示に応じて又は予め定めた所定時刻に、記憶部に記憶している情報などに基づいて、集計情報（例えば、日計レポートなどの売上実績情報）を生成する。
【００１５】
携帯入力端末２０は、少なくとも注文モードを有する装置（例えば、ＰＤＡ(Personal Data Assistants)）である。注文モードとは、当該携帯入力端末２０によって客の注文を受け付け、当該携帯入力端末２０で受け付けた注文データ（注文情報）を管理装置１０又は直接キッチンプリンタ４０に出力する動作モードである。
【００１６】
ＰＯＳ端末装置３０は、会計（清算）処理を実行する装置である。ＰＯＳ端末装置３０は、例えば、他の装置（例えば管理装置１０など）と通信する通信部、通信部によって受信した注文データに基づいて会計処理を実行する会計処理部、レシート（会計伝票、会計レシート、又は明細レシートとも称する）を印字する印字部などを備える。
【００１７】
キッチンプリンタ４０は、オーダーエントリーシステム１が飲食店に設置される場合、主に、厨房近傍に配置される。キッチンプリンタ４０は、例えば、管理装置１０の制御に従って、種々の情報（例えば調理指示伝票、お客様配膳伝票など）を印字する。
【００１８】
図２は携帯入力端末２０の構成例を示すブロック図である。同図に示すように携帯入力端末２０は、ＣＰＵ２００とＲＯＭ２１０とＲＡＭ２１２と表示部２１４と音声出力部２１６と操作部２１８と通信部２２０とを、バス２２２によって相互に接続して構成されている。ＣＰＵ２００は、各種プログラム（例えば、注文モード用のプログラムなど）を実行する。ＲＯＭ２１０は、例えば、ＣＰＵ２００において実行される各種プログラムや、表示部２１４において表示される画像データ（画像フォーマット情報）などを記憶する。ＲＡＭ２１２は、例えば管理装置１０から受信したファイル（例えばメニューデータファイルや付加データファイルなど）、ＣＰＵ２００が生成したデータ（例えば、注文データなど）を一時記憶する。表示部２１４は、種々の画面を表示するものであり、タッチセンサを備えていても良い。操作部２１８は操作者である店員からの入力を受け付ける。通信部２２０は他の装置（アクセスポイント５０）と送受信を行うものである。
【００１９】
図３，図４，図５はオーダーエントリーシステム１において記憶される情報の一例を示す図であり、図３はメニューデータファイル（商品ファイル）の一例を、図４は付加データファイル（付加商品ファイル）の一例を、図５は注文データファイルの一例を示している。図３に示すメニューデータファイルは、商品識別情報（品番）、メニュー品目（単品商品の名称）、制限時間、金額（販売単価）などを有している。ここでメニュー品目は、単品商品の名称であり、本実施形態では、メニュー品目Ａ（例えば「唐揚げ」），メニュー品目Ｂ（例えば「ポテトフライ」）等の具体的商品の他に、放題メニューＡ（例えば「飲み放題」），放題メニューＢ（例えば「食べ放題」），追加放題メニューＡ（例えば「飲み放題の延長」），追加放題メニューＢ（例えば「食べ放題の延長」）等の、放題メニューや追加放題メニューも単品商品のデータとして、具体的商品と同列に、それぞれ有している。
【００２０】
ここで放題メニューとは、時間制限付きで一定の金額で所定のメニュー品目（具体的商品）をフリーオーダーできる商品をいう。フリーオーダーとは、時間制限付内に所定のメニュー品目について何回注文されても所定金額で提供することを意味する。また追加放題メニューとは、前記放題メニューを所定の料金で定められている時間延長できる商品をいう。従って、図３に示す制限時間は、上記単品商品の内、具体的商品にはデータが無く、放題メニューと追加放題メニューはそのデータを有している。例えば放題メニューＡ，Ｂの制限時間は「２時間」、追加放題メニューＡの制限時間は「３０分」、追加放題メニューＢの制限時間は「６０分」としている。
【００２１】
図４に示す付加データファイルは、付加情報、商品識別情報（品番）、メニュー品目、金額（販売単価）などを有している。この付加データファイルは、前記放題メニューと追加放題メニューでフリーオーダーできるメニュー品目（具体的商品）を有している。付加情報は異なる放題メニューを区別するためのデータであり、例えば「９１００」は放題メニューＡ及び追加放題メニューＡでフリーオーダーできる具体的商品を示し、「９２００」は放題メニューＢ及び追加放題メニューＢでフリーオーダーできる具体的商品を示している。以下、フリーオーダーできる商品を放題対象品目という。
【００２２】
図５に示す注文データファイルは、注文を受けたテーブル番号、商品識別情報（品番）、注文したメニュー品目、数量、金額などを有している。この注文データファイルは、実際に注文されたメニュー品目を記憶しておくためのものであり、この例では、放題対象品目以外のメニュー品目Ｅ，Ｇ（及び放題対象品目ではあるが放題メニューなどとして注文しなかったメニュー品目）と、放題メニューＡ及びこの放題メニューＡの制限時間内に注文された各メニュー品目Ａ，Ｃ，…と、１回目の追加放題メニューＡ及びこの追加放題メニューＡの制限時間内に注文された各メニュー品目Ｂ，Ｃ，…と、２回目の追加放題メニューＡ及びこの追加放題メニューＡの制限時間内に注文された各メニュー品目Ａ，…とを有している。つまり、具体的商品、放題メニューＡと共に、各追加放題メニューＡをその単位毎（延長時間の単位毎）に記憶している。
【００２３】
上記メニューデータファイルと付加データファイルと注文データファイルは、管理装置１０内（その記憶部）に記憶され、同時に管理装置１０から配信されることで、携帯入力端末２０とＰＯＳ端末装置３０内にも記憶される。即ち管理装置１０は、商品の改廃（入替）、販売単価の改定、放題対象品目の変更などに応じて更新された最新の上記メニューデータファイル及び付加データファイルを、適宜、他の装置（携帯入力端末２０とＰＯＳ端末装置３０）に送信する。また管理装置１０は、会計や今後の宴会スケジュールなどの情報として用いる上記注文データファイルも、適宜、他の装置（ＰＯＳ端末装置３０）に送信する。他の装置は管理装置１０から受信した最新のメニューデータファイルや付加データファイルや注文データファイルを記憶する。
【００２４】
次に上記オーダーエントリーシステム１の動作説明を行う。図６は携帯入力端末２０における注文モード用のプログラムによる動作フロー図である。
まず店員は、注文を要求する客のいるテーブルに出向き、客から注文を受け取り、携帯入力端末２０に注文されたメニュー品目を入力する。このとき合わせて客を特定する情報、例えばテーブル番号なども入力する。携帯入力端末２０は、注文されたメニュー品目と客の特定情報が入力されると（ステップ１−１）、注文されたメニュー品目が放題メニューであるか否かを判断し（ステップ１−２）、放題メニューの場合は、ステップ１−１０に移行して既に同じ放題メニューの登録がされているか否かを判断する。そして既に同じ放題メニューが登録されている場合は、例えば「既に同一の放題メニューが登録されています。」というようなメッセージを表示し（ステップ１−１１）、下記するステップ１−１７に移行する。
【００２５】
一方前記ステップ１−１０において同一の放題メニューがまだ登録されていなかった場合は、ステップ１−１４に移行し、今回注文された放題メニューを通常の単品注文として登録する。ここでいう単品注文とは、前述のように、具体的商品の他に、放題メニューや追加放題メニューもある。つまり本実施形態では、具体的商品と同列に、放題メニューや追加放題メニューを注文できる。なお、ステップ１−１４における具体的処理方法は、別途図７，図８を用いて後述する。
【００２６】
以上のことからわかるように、注文入力を受付けたメニュー品目が放題メニューである場合は、客の注文済みのメニュー品目の中に同一の放題メニューが存在するか否かを判断し（ステップ１−１０）、存在する場合は改めて放題メニューを注文する必要が無いので、入力された放題メニューの受付けを禁止し（ステップ１−１１）、存在しない場合は入力された放題メニューの受付けを許可する（ステップ１−１４）ようにしている。このステップ１−２，１−１０，１−１１，１−１４における一連の処理を行う携帯入力端末２０は、放題メニュー受付手段として機能している。
【００２７】
次にステップ１−２に戻って、今回の注文が放題メニューでなかった場合は、次に今回の注文が追加放題メニューであるか否かを判断する（ステップ１−３）。そして今回の注文が追加放題メニューであった場合は、ステップ１−１２に移行して既にその元となる放題メニューの登録がされているか否かを判断する。そしてその放題メニューが登録されていない場合は、例えば「放題メニューが登録されていないので、追加放題メニューは登録できません。」というようなメッセージを表示し（ステップ１−１３）、下記するステップ１−１７に移行する。一方前記ステップ１−１２においてその放題メニューが登録されていた場合は、ステップ１−１４に移行し、今回注文された追加放題メニューを通常の単品注文として登録する。
【００２８】
以上のことから分かるように、注文入力を受付けたメニュー品目が追加放題メニューである場合は、客の注文済みのメニュー品目の中にその元となる放題メニューが存在するか否かを判断し（ステップ１−１２）、存在しない場合は入力された追加放題メニューの受付けを禁止し（ステップ１−１３）、存在する場合は入力された追加放題メニューの受付けを許可する（ステップ１−１４）ようにしている。このステップ１−３，１−１２，１−１３，１−１４における一連の処理を行う携帯入力端末２０は、追加放題メニュー受付手段として機能している。
【００２９】
次にステップ１−３に戻って、注文されたメニュー品目が追加放題メニューでなかった場合（つまり注文されたメニュー品目が放題メニューでも追加放題メニューでもない具体的商品の注文の場合）は、ステップ１−４に移行してこの客が既に放題メニューを登録している客か否かの判断と、注文したメニュー品目が放題対象品目であるか否かの判断とを行い、放題メニューを登録していない場合（この場合当然追加放題メニューも登録していない）、又は注文したメニュー品目が図４の付加データファイルに示す放題対象品目でない場合は、通常の単品注文の登録を行う（ステップ１−１４）。
【００３０】
一方ステップ１−４において、既に放題メニューの登録（前記ステップ１−１４で既に行われていた登録）があった客であり、且つ注文したメニュー品目が放題対象品目であると判断した場合は、現在、その放題メニューの制限時間内にあるか否かを判断する（ステップ１−５）。制限時間内か否かは、図３に示すメニューデータファイル中の制限時間と、放題メニューを登録した時刻（開始時刻）とによって判断する。
【００３１】
そして制限時間内であると判断した場合は、放題メニューとして単品注文を受け付け、図４に示す付加データファイルを参照しながら、登録する（ステップ１−１５）。つまり例えば放題メニューが「放題メニューＡ」であった場合、注文されたメニュー品目を、図４に示す付加データファイル中の「放題メニューＡ」に対応するメニュー品目（Ａ，Ｂ，Ｃ）に記憶された金額「０円」にて登録する。
【００３２】
ステップ１−５に戻って、放題メニューの制限時間内でない場合は、次に、この客が既に前記登録している放題メニューに対応する追加放題メニューを登録している客か否かを判断し（ステップ１−６）、追加放題メニューを登録していない場合（つまり放題メニューの制限時間を過ぎ、且つ追加放題メニューを注文していないような場合）は、携帯入力端末２０の表示部２１４（又は音声出力部２１６）に、この注文は放題メニューではない通常の単品注文になる旨のメッセージを表示する（ステップ１−８）。そして客にそれでも注文するか否かを確認し（ステップ１−９）、注文登録する場合は、ステップ１−１４に移行し、注文登録しない場合はステップ１−１７に移行する。
【００３３】
ステップ１−６に戻って、この客が既に追加放題メニューの登録（前記ステップ１−１４で既に行われていた登録）があった客であると判断した場合は、現在、その追加放題メニューの制限時間内にあるか否かを判断する（ステップ１−７）。制限時間内か否かは、図３に示すメニューデータファイル中の制限時間と、追加放題メニューを登録した時刻（下記するステップ１−１４にて登録した開始時刻）とによって判断する。
【００３４】
そして制限時間内であると判断した場合は、追加放題メニューとして単品注文を受け付け、図４に示す付加データファイルを参照しながら、登録する（ステップ１−１６）。つまり例えば追加放題メニューが「追加放題メニューＡ」であった場合、注文されたメニュー品目を、図４に示す付加データファイル中の「放題メニューＡ」に対応するメニュー品目（Ａ，Ｂ，Ｃ）に記憶された金額「０円」にて登録する。
【００３５】
ステップ１−７に戻って、追加放題メニューの制限時間内でない場合（つまり追加放題メニューの制限時間を過ぎ、且つ新たに追加放題メニューを注文していない場合）は、前述したステップ１−６で追加放題メニューの登録が無い場合と同様に、携帯入力端末２０の表示部２１４（又は音声出力部２１６）に、この注文は追加放題メニューではない通常の単品注文になる旨のメッセージを表示し（ステップ１−８）、客にそれでも注文するか否かを確認し（ステップ１−９）、注文登録する場合は、ステップ１−１４に移行し、注文登録しない場合はステップ１−１７に移行する。
【００３６】
即ち、注文入力を受付けたメニュー品目が具体的商品である場合は、まず放題メニューの登録がされているか否かと、放題対象品目であるか否かを判断し（ステップ１−４）、放題メニューの登録がない又は放題対象品目でない場合は、通常の単品注文の登録を行い（ステップ１−１４）、一方放題メニューの登録があり且つ放題対象品目である場合は、放題メニューの制限時間内の場合は放題メニューの単品注文の登録を行い（ステップ１−１５）、追加放題メニューの制限時間内の場合は追加放題メニューの単品注文の登録を行い（ステップ１−１６）、放題メニュー、追加放題メニューの制限時間を越えていた場合は放題対象品目ではない通常の単品注文として登録を行うか（ステップ１−９，１−１４）、或いは注文自体を行わないようにしている。このステップ１−４〜１−９，１−１４〜１−１６における一連の処理を行う携帯入力端末２０は、具体的メニュー品目受付手段として機能している。
【００３７】
次にステップ１−１７において、引き続き、次の注文入力があるか否かを判断し、例えば携帯入力端末２０の操作部２１８に設けた決定キーがオンされることで、次の注文が無いと判断した場合は、上位装置である管理装置１０にそれまで携帯入力端末２０に登録しておいたメニュー品目を送信する（ステップ１−１８）。
【００３８】
管理装置１０では、受信したメニュー品目の内の具体的商品については、その調理指示情報を所定のキッチンプリンタ４０に送信し、キッチンプリンタ４０はその調理指示情報を調理指示伝票として印刷し、出力する。なお、キッチンプリンタ４０への調理指示情報の送信は、携帯入力端末２０から直接行っても良い。
【００３９】
ここで前記ステップ１−１４における処理を、図７を用いてさらに詳細に説明する。即ちステップ１−１４において、注文されたメニュー品目が追加放題メニュー以外のメニュー品目であった場合、具体的には具体的商品又は放題メニューであった場合、通常の単品商品としてそのまま登録する（ステップ２−１，ステップ２−５）。一方ステップ２−１において、注文されたメニュー品目が追加放題メニューであった場合は、前回（直前）に注文して登録しておいた放題メニュー又は追加放題メニューの制限時間内にあるか否かを判断する（ステップ２−２）。前記した場合と同様、制限時間内か否かは、図３に示すメニューデータファイル中の制限時間と、放題メニュー又は追加放題メニューを登録した時刻（このステップ１−１４にて登録した開始時刻）とによって判断する。
そして制限時間内であると判断した場合は、前回（直前）の放題メニュー又は追加放題メニューの終了時刻を開始時刻として、登録する（ステップ２−４）。
【００４０】
一方ステップ２−２において、今回の追加放題メニューの注文が、制限時間の終了時刻の後に行われた場合は、前記制限時間の終了時刻と現在の時刻の間（経過期間内）に、放題対象品目としてではなく注文されたメニュー品目の内、放題対象品目と同一商品についてはその登録をキャンセルする（ステップ２−３）。そしてステップ２−４において、前回（直前）の放題メニュー又は追加放題メニューの終了時刻を開始時刻として、登録する。同時に前記登録をキャンセルしたメニュー品目を、今回の追加放題メニューでフリーオーダーしたメニュー品目として再登録する。
【００４１】
上記ステップ２−３，２−４の処理を、図８を用いて具体的に説明する。即ち図８の上側に示すように、例えば２０：００に開始した放題メニューＡが２２：００に終了した後、通常の料金が発生するメニュー品目としてメニュー品目Ａ，Ｂを注文し、さらにその後、２２：１０にこの放題メニューＡに対して追加放題メニューＡをメニュー品目として注文したとする。このような場合は、図８の下側に示すように、前記経過期間中に注文したメニュー品目Ａ，Ｂをキャンセルした上で、２２：００に開始したように前記追加放題メニューＡを登録し、さらに前記キャンセルしたメニュー品目Ａ，Ｂを追加放題メニューＡ内でフリーオーダーしたメニュー品目Ａ，Ｂとして再登録する。
【００４２】
以上説明したように、注文入力を受付けたメニュー品目が放題メニューであった場合と、追加放題メニューであった場合と、具体的商品であった場合とをそれぞれ場合分けし、それぞれに応じた一連の処理（上記ステップ１−１〜１−１８全体の処理）を行う携帯入力端末２０は、メニュー品目受付手段（前記放題メニュー受付手段と追加放題メニュー受付手段と具体的メニュー品目受付手段とを含む）として機能している。
【００４３】
管理装置１０（その記憶部）は、以上のようにして受付けたメニュー品目を前記図５に示す注文データファイルとして記憶、管理する。即ち、管理装置１０は、具体的商品、放題メニューと共に、各追加放題メニューをその単位毎（延長時間の単位毎）に記憶している。
【００４４】
なお管理装置１０は、これに記憶している上記注文データファイル中のデータを、例えばこの管理装置１０が有する出力手段（モニタやプリンタなど）に対して出力することができる。出力は、前記図５に示す様式と同様、つまり放題メニューでフリーオーダーしたメニュー品目と、各追加放題メニューでフリーオーダーしたメニュー品目とを、それぞれ分けて行うことが好ましい。
【００４５】
図９は、会計時に客に提示される伝票（会計伝票）３００の一例を示す図である。即ち、前記図５に示す注文データファイルを管理装置１０からＰＯＳ端末装置３０に送信し、ＰＯＳ端末装置３０が、具体的商品の金額と、放題メニューの金額と、各追加放題メニューをその単位毎に表示した金額と、これらを合算した金額とを、会計伝票３００として印刷し、出力する。従って客は、追加放題メニューを複数回注文したとしても、注文内容を容易に正しく把握でき、その金額も容易に正しく会計することができる。
【００４６】
以上説明したように、上記オーダーエントリーシステム１は、メニュー品目の中の１つとして放題メニューと追加放題メニューとを設け、これら放題メニューと追加放題メニューとを他のメニュー品目と共に記憶するメニュー品目記憶手段（上記例では上記図３に示すメニューデータファイルを記憶する携帯入力端末２０のＲＡＭ２１２や管理装置１０の記憶部などがメニュー品目記憶手段に相当する）と、前記記憶したメニュー品目の入力を受付けるメニュー品目受付手段（上記例では携帯入力端末２０のＲＯＭ２１０などが記憶する注文モード用のプログラム〔図６、図７に示す動作フロー全体〕を実行するＣＰＵ２００などがメニュー品目受付手段に相当する）と、前記受付けたメニュー品目が前記追加放題メニューである場合、前記客の注文済みのメニュー品目の中に前記放題メニューが存在するか否かを判定し、存在しない場合は前記入力された追加放題メニューの受付けを禁止し、存在する場合は前記入力された追加放題メニューの受付けを許可する追加放題メニュー受付手段（上記例では携帯入力端末２０のＲＯＭ２１０などが記憶する注文モード用のプログラム〔図６、図７に示す動作フローの内のステップ１−３，１−１２，１−１３，１−１４の動作フロー〕を実行するＣＰＵ２００などが追加放題メニュー受付手段に相当する）と、を備えている。
【００４７】
このように飲み放題や食べ放題などを時間延長する追加放題メニューを、他のメニュー品目と同様に、メニュー品目として入力するので、飲み放題や食べ放題等の時間延長の操作が容易になり、時間設定間違えなどのミスが生じなくなる。また、操作が容易であるため、客が直接操作する（店員が操作を行わない）セルフオーダーシステムにも容易に適用可能である。
【００４８】
また追加放題メニューを延長時間の単位毎に記憶する注文データ記憶手段（上記例では図５の注文データファイルを記憶する管理装置１０の記憶部などが注文データ記憶手段に相当する）を有するので、時間延長がどれだけ有ったかの把握や、追加延長した数や回数、または時間などが正しく把握できる。これによって過去の延長回数や延長時間などのデータを蓄積でき、このデータを用いて今後の宴会スケジュールなど（例えば放題メニューや追加放題メニューの設定時間や放題対象商品の変更、最適化など）を正しく計画することができる。
【００４９】
また前記追加放題メニュー受付手段は、受付けた追加放題メニューを許可した場合、その直前に受付けた放題メニューまたは追加放題メニューの終了時刻を、今回受付けを許可した追加放題メニューの開始時刻としている。これによって、その直前に受付けた放題メニューまたは追加放題メニューの終了時刻の後であって新たな追加放題メニューを受付ける前に注文されたメニュー品目を、自動的に新たに追加された追加放題メニューに含めることができる。これにより容易且つ正しい金額で、客に会計させることができる。
【００５０】
また上記オーダーエントリーシステム１は、前記追加放題メニュー受付手段で追加放題メニューが許可された場合、放題メニューの金額と追加放題メニューの金額とを合算した金額（上記例では例えば図９の会計伝票３００が相当する）を、客に請求する合計金額として算出する会計手段（上記例ではＰＯＳ端末装置３０が会計手段に相当する）を備えているので、正しい金額を客は会計することができる。
【００５１】
また上記オーダーエントリーシステム１は、前記注文データ記憶手段が記憶する客が注文したメニュー品目の内、放題メニューでフリーオーダーしたメニュー品目と、追加放題メニューでフリーオーダーしたメニュー品目とを分けて出力を行う出力手段（上記例では例えば図５に示す注文データファイルを表示、印刷する管理装置１０の有するモニタやプリンタなどが相当する）を備えている。出力手段としては、印刷手段、表示手段などがある。これにより、飲み放題や食べ放題の延長を行った数や回数、時間などを把握することが容易になり、店側が今後の宴会スケジュールなどを正しく計画することができる。
【００５２】
以上本発明の実施形態を説明したが、本発明は上記実施形態に限定されるものではなく、特許請求の範囲、及び明細書と図面に記載された技術的思想の範囲内において種々の変形が可能であり、本願発明の作用・効果を奏する以上、本願発明の技術的思想の範囲内である。例えば上記オーダーエントリーシステム１においては、追加放題メニューを延長時間の単位毎に記憶するように構成したが、場合によっては、複数の追加放題メニューをまとめて１つの延長時間として記憶するように構成しても良い。この場合、回数を含め記憶させるようにしてもよい。
【００５３】
また上記オーダーエントリーシステム１においては、追加放題メニューの注文が、その直前に受付けた放題メニュー又は追加放題メニューの制限時間の終了時刻の後に行われた場合に、直前の放題メニュー又は追加放題メニューの終了時刻を開始時刻として、登録するように構成したが、場合によっては、追加放題メニューの注文の開始時刻を繰り上げず、直前の放題メニュー又は追加放題メニューの制限時間の終了時刻から今回の追加放題メニューの注文時の間（経過期間）に注文したメニュー品目は、放題対象品目以外の商品として取り扱っても良い。
【００５４】
以上の説明に関し、さらに以下の項を開示する。
（付記１）
請求項１に記載のオーダーエントリーシステムであって、
前記追加放題メニュー受付手段で追加放題メニューが許可された場合、前記放題メニューの金額と追加放題メニューの金額とを合算した金額を、前記客に請求する合計金額として算出する会計手段を更に備えたことを特徴とするオーダーエントリーシステム。これにより、正しい金額を客は会計することができる。
（付記２）
請求項１に記載のオーダーエントリーシステムであって、
前記注文データ記憶手段が記憶する前記客が注文したメニュー品目の内、前記放題メニューでフリーオーダーしたメニュー品目と、前記追加放題メニューでフリーオーダーしたメニュー品目とを分けて出力を行う出力手段を備えたことを特徴とするオーダーエントリーシステム。出力手段としては、印刷手段、表示手段などがある。これにより、飲み放題や食べ放題の延長を行った数や回数、時間、追加延長された放題メニューにおいてオーダーされたメニュー品目などを把握することが容易になり、店側が今後の宴会スケジュールなどを正しく計画することができる。
【符号の説明】
【００５５】
１  オーダーエントリーシステム
１０  管理装置（上位装置、ストアコントローラ）
２０（２０−１，…，Ｎ）  携帯入力端末（入力端末）
３０  ＰＯＳ端末装置
４０（４０−１，…，Ｍ）  キッチンプリンタ（出力端末）
５０  アクセスポイント                  ６０  ルータ
９０  ＬＡＮ                            ２００  ＣＰＵ
２１０  ＲＯＭ                          ２１２  ＲＡＭ
２１４  表示部                          ２１６  音声出力部
２１８  操作部                          ２２０  通信部
２２２  バス                            ３００  請求伝票
【図１】
2014232356.tif 000003
【図２】
2014232356.tif 000004
【図３】
2014232356.tif 000005
【図４】
2014232356.tif 000006
【図５】
2014232356.tif 000007
【図６】
2014232356.tif 000008
【図７】
2014232356.tif 000009
【図８】
2014232356.tif 000010
【図９】
2014232356.tif 000011